(57)【要約】      （修正有）【課題】混雑時において退場者がスムースにゲートを通過することを可能にすること。【解決手段】実施形態の入退場管理装置３００は、入退場に関する情報を表示する表示部２１を有し、出入り口に設置される複数のゲートからの入場者の数と、エレベータ１０の利用者のうち複数のゲートから退場することが見込まれる退場者の数とから、複数のゲートにおける入退場者の比率を算出し、入退場者の比率に基づき複数のゲートの表示部２１における入退場に関する情報の表示の割り当て数を決定する演算部３０３を備える。【選択図】図１
2020191001.tif 000002
【特許請求の範囲】
【請求項１】
入退場に関する情報を表示する表示部を有し、出入り口に設置される複数のゲートからの入場者の数と、
エレベータの利用者のうち前記複数のゲートから退場することが見込まれる退場者の数とから、
前記複数のゲートにおける入退場者の比率を算出し、前記入退場者の比率に基づき前記複数のゲートの前記表示部における入退場に関する情報の表示の割り当て数を決定する演算部を備える、
入退場管理装置。
【請求項２】
前記演算部は、
前記入場者の数として、前記複数のゲートの入場者用カードリーダによるカード情報の読み取り数を用い、
前記退場者の数として、前記エレベータの乗り場に設置された行先階登録装置における前記複数のゲートの設置階を行先階とする登録数を用いる、
請求項１に記載の入退場管理装置。
【請求項３】
前記表示部における入退場に関する情報の表示の割り当てを入場表示から退場表示へと変更する場合には、
行先階登録装置において前記複数のゲートの設置階を行先階とする登録があった時に前記表示部の表示の点滅が開始され、
前記複数のゲートの設置階に前記エレベータの乗りかごが到着して戸開した時に前記表示部の表示が退場表示へと変更される、
請求項２に記載の入退場管理装置。
【請求項４】
前記出入り口における時間帯ごとの退場者数予測情報を記憶する記憶部を備え、
前記演算部は、
前記表示部における入退場に関する情報の表示の割り当て数を決定するときに前記退場者数予測情報を参照し、予測される退場者数が所定の閾値を超える場合には、前記表示部における入退場に関する情報の表示の割り当てを制限する、
請求項１乃至請求項３のいずれか１項に記載の入退場管理装置。
【請求項５】
入退場に関する情報を表示する表示部を有し、出入り口に設置される複数のゲートからの入場者の数を取得するステップと、
エレベータの利用者のうち前記複数のゲートから退場することが見込まれる退場者の数を取得するステップと、
前記入場者の数および前記退場者の数から前記複数のゲートにおける入退場者の比率を算出し、前記入退場者の比率に基づき前記複数のゲートの前記表示部における入退場に関する情報の表示の割り当て数を決定するステップと、
前記決定にしたがって前記表示部の表示を変更させる命令を出力するステップと、を含む、
入退場管理方法。
【請求項６】
入退場に関する情報を表示する表示部を有し、出入り口に設置される複数のゲートを制御するゲート制御装置と、
前記複数のゲートの設置階を含む各階を昇降するエレベータを制御するエレベータ制御装置と、
前記複数のゲートにおける入退場を管理する入退場管理装置と、を備え、
前記ゲート制御装置は、
前記複数のゲートからの入場者の数をカウントし、
前記エレベータ制御装置は、
前記エレベータの利用者のうち前記複数のゲートから退場することが見込まれる退場者の数をカウントし、
前記入退場管理装置は、
前記ゲート制御装置から前記入場者の数を取得するゲート情報取得部と、
前記エレベータ制御装置から前記退場者の数を取得するエレベータ情報取得部と、
前記入場者の数および前記退場者の数から前記複数のゲートにおける入退場者の比率を算出し、前記入退場者の比率に基づき前記複数のゲートの前記表示部における入退場に関する情報の表示の割り当て数を決定する演算部と、
前記決定にしたがって前記表示部の表示を変更させる命令を出力する出力部と、を備える、
入退場管理システム。
【発明の詳細な説明】
【技術分野】
【０００１】
本発明の実施形態は、入退場管理装置、入退場管理方法、及び入退場管理システムに関する。
【背景技術】
【０００２】
例えば、特許文献１の技術では、エレベータでの混雑を緩和するため、荷重検知装置の出力に基づいて混雑する運転状況が検知された時には、満員通過運転を行う。
【０００３】
また、エレベータの乗り場の混雑を緩和するため、建物等の出入り口にゲートを設置して、ゲートから入場した人を行先階ごとに振り分けてエレベータへと案内する行先階制御システム（ＤＣＳ：Ｄｅｓｔｉｎａｔｉｏｎ  Ｃｏｎｔｒｏｌ  Ｓｙｓｔｅｍ）が知られている。
【０００４】
例えば、特許文献２の技術では、セキュリティゲートにて利用者の認証を行った後、その利用者が、かご割り当て前にセキュリティゲートから退出した場合には、かご割り当て要求を中止する。
【先行技術文献】
【特許文献】
【０００５】
【特許文献１】特開昭６１−１５５１７３号公報
【特許文献２】特開２０１６−８４１９５号公報
【発明の概要】
【発明が解決しようとする課題】
【０００６】
しかしながら、例えば、出入り口のゲートに向かう退場者による混雑が生じる場合があり得る。上記の行先階制御システム等は、入場者の混雑を回避するためのものであって、このような場合について考慮されてなく、退場者による混雑が生じた場合に対応することができない。このため、退場者がゲートを通過することが困難となってしまう場合がある。
【０００７】
本実施形態が解決しようとする課題は、混雑時において退場者がスムースにゲートを通過することができる入退場管理装置、入退場管理方法、及び入退場管理システムを提供することである。
【課題を解決するための手段】
【０００８】
実施形態の入退場管理装置は、入退場に関する情報を表示する表示部を有し、出入り口に設置される複数のゲートからの入場者の数と、エレベータの利用者のうち前記複数のゲートから退場することが見込まれる退場者の数とから、前記複数のゲートにおける入退場者の比率を算出し、前記入退場者の比率に基づき前記複数のゲートの前記表示部における入退場に関する情報の表示の割り当て数を決定する演算部を備える。
【図面の簡単な説明】
【０００９】
【図１】図１は、実施形態１にかかる入退場管理システムの構成の一例を示す図である。
【図２】図２は、実施形態１にかかるフラッパゲートにおける表示部の表示の一例を示す模式図である。
【図３】図３は、実施形態１にかかる入退場管理装置による入退場管理処理の手順の一例を示すフロー図である。
【図４】図４は、実施形態１の変形例にかかるエレベータ制御装置によるエレベータの運行処理の手順の一例を示すフロー図にしたがうゲート制御装置の表示処理の手順の一例を示す図である。
【図５】図５は、実施形態２にかかる入退場管理システムの構成の一例を示す図である。
【図６】図６は、実施形態２にかかる入退場管理装置による入退場管理処理の手順の一例を示すフロー図である。
【図７】図７は、実施形態２にかかる入退場管理装置による表示の割り当て制限処理の手順の一例を示すフロー図である。
【発明を実施するための形態】
【００１０】
以下に、本発明につき図面を参照しつつ詳細に説明する。なお、下記の実施形態により、本発明が限定されるものではない。また、下記実施形態における構成要素には、当業者が容易に想定できるものあるいは実質的に同一のものが含まれる。
【００１１】
［実施形態１］
以下、図面を参照して実施形態１について詳細に説明する。
【００１２】
（入退場管理システムの構成例）
図１は、実施形態１にかかる入退場管理システム１の構成の一例を示す図である。図１に示すように、入退場管理システム１は、エレベータ制御装置１２０、ゲート制御装置２２０、及び入退場管理装置３００を備える。エレベータ制御装置１２０、ゲート制御装置２２０、及び入退場管理装置３００は相互に情報の授受が可能に接続されている。
【００１３】
ゲート制御装置２２０はフラッパゲート２０ａ〜２０ｄを制御する。ゲート制御装置２２０は、入退場者数カウント部２２１及び表示制御部２２２を備える。
【００１４】
フラッパゲート２０ａ〜２０ｄは例えば建物の出入り口等に設置されている。なお、フラッパゲート２０ａ〜２０ｄの設置数は、図１の例に限られず、複数設置されていればよい。また、これらのフラッパゲート２０ａ〜２０ｄを特に区別しないときには、単にフラッパゲート２０と記載することがある。
【００１５】
フラッパゲート２０は、フラッパゲート２０を通過して建物内に入場する入場者用のカードリーダ２２ｅｎと、フラッパゲート２０のカードリーダ２２ｅｎと対向する位置に、建物内から退場する退場者用のカードリーダ２２ｅｘとを備える。カードリーダ２２ｅｎ，２２ｅｘは、入退場者が保有する磁気カードやＩＣ（Ｉｎｔｅｇｒａｔｅｄ  Ｃｉｒｃｕｉｔ）カードの情報を読み取る。読み取られた情報は、磁気カードやＩＣカードの保有者が建物に対する入退場が許可された者であるか否かを判定するのに用いられる。建物に対する入退場が許可された者でない場合には、フラッパゲート２０のフラッパが作動して、その者の入退場を阻止する。
【００１６】
フラッパゲート２０は、そのフラッパゲート２０が入場用であるか退場用であるかを示す入退場表示を表示する表示部２１を備える。そして、表示部２１に「入場用」の表示がなされたフラッパゲート２０は入場用ゲートとして機能し、「退場用」の表示がなされたフラッパゲート２０は退場用ゲートとして機能する。
【００１７】
表示部２１は、フラッパゲート２０の建物内外に面する両面に設けられており、フラッパゲート２０を通過する入退場者が視認できるようになっている。入退場者は、「入場用」「退場用」などの表示を確認して、適正なフラッパゲート２０を選択して通過することができる。
【００１８】
ゲート制御装置２２０の入退場者数カウント部２２１は、カードリーダ２２ｅｎ，２２ｅｘによる情報の読み取り数を取得して、入場者数および退場者数をカウントする。つまり、カードリーダ２２ｅｎに磁気カードやＩＣカードなどがかざされて１回情報が読み取られると、入場者数１とカウントする。また、カードリーダ２２ｅｘに磁気カードやＩＣカードなどがかざされて１回情報が読み取られると、退場者数１とカウントする。
【００１９】
ゲート制御装置２２０の表示制御部２２２は表示部２１における表示を制御する。具体的には、後述する入退場管理装置３００からの命令にしたがい、所定の表示部２１に「入場用」「退場用」などの所定の表示をさせる。
【００２０】
エレベータ制御装置１２０はエレベータ１０を制御する。エレベータ制御装置１２０は、運行制御部１２１及び利用者数カウント部１２２を備える。
【００２１】
エレベータ１０は、フラッパゲート２０の設置階も含め、例えば建物内の各階に乗り場１１、行先階登録装置１２、及び各階の乗り場１１に着床する乗りかご（不図示）を備える。行先階登録装置１２は、その階の乗り場１１にいるエレベータ１０の利用者による行先階の登録を受け付ける。
【００２２】
運行制御部１２１は、エレベータ１０の乗りかご等の各種動作を制御する。例えば、運行制御部１２１は、所定階の利用者による乗り場呼びが検出されると、つまり、行先階登録装置１２を介した行先階の登録がなされると、その階へ乗りかごを運行させる。また、運行制御部１２１は、登録された行先階へと乗りかごを運行させる。
【００２３】
利用者数カウント部１２２は、エレベータ１０を利用して、フラッパゲート２０の設置階以外の階からフラッパゲート２０の設置階へと向かう利用者数をカウントする。すなわち、利用者数カウント部１２２は、行先階登録装置１２がフラッパゲート２０の設置階を行先階とする登録を１回受け付けると、利用者数１とカウントする。
【００２４】
入退場管理装置３００は、フラッパゲート２０における入退場を管理する。入退場管理装置３００は、ゲート情報取得部３０１、エレベータ情報取得部３０２、演算部３０３、及び出力部３０４を備える。
【００２５】
ゲート情報取得部３０１は、その時々のフラッパゲート２０における入場者数等、フラッパゲート２０に関する各種情報をゲート制御装置２２０から取得する。
【００２６】
エレベータ情報取得部３０２は、その時々のフラッパゲート２０の設置階へと向かう利用者数等、エレベータ１０に関する各種情報をエレベータ制御装置１２０から取得する。
【００２７】
演算部３０３は、ゲート情報取得部３０１が取得した入場者数およびエレベータ情報取得部３０２が取得した利用者数から、フラッパゲート２０における入退場者の比率を算出する。このとき、演算部３０３は、ゲート情報取得部３０１が取得した入場者数をそのまま入場者数として上記演算を行う。また、演算部３０３は、エレベータ情報取得部３０２が取得した利用者数を間もなく建物内から退場することが予測される退場者数として上記演算を行う。
【００２８】
また、演算部３０３は、算出した入退場者の比率に基づき、複数のフラッパゲート２０の表示部２１における入退場に関する情報の表示の割り当て数を決定する。つまり、演算部３０３は、入場者数の比率が高ければ「入場用」を表示する表示部２１の数を増やし、退場者数の比率が高ければ「退場用」を表示する表示部２１の数を増やす。
【００２９】
また、演算部３０３は、表示部２１における入退場に関する情報の表示の割り当て数の決定にしたがって表示部２１の表示を変更させる命令を生成する。ただし、この表示変更命令は、演算部３０３の決定に基づき出力部３０４が生成してもよい。
【００３０】
出力部３０４は、生成された表示変更命令をゲート制御装置２２０へと出力する。上述のように、ゲート制御装置２２０の表示制御部２２２はこの命令を受け取って、これにしたがい各々のフラッパゲート２０の表示部２１の表示を変更させる。つまり、入退場に関する情報の表示の割り当て数に応じて、入場用ゲートとして機能するフラッパゲート２０の数、及び退場用ゲートとして機能するフラッパゲート２０の数が変化する。
【００３１】
図２は、実施形態１にかかるフラッパゲート２０における表示部２１の表示の一例を示す模式図である。
【００３２】
図２（ａ）に示すように、各々のフラッパゲート２０ａ〜２０ｄが有する表示部２１のうち、フラッパゲート２０ａ〜２０ｃの表示部２１には「入場用」の表示がなされ、フラッパゲート２０ｄの表示部２１には「退場用」の表示がなされている。このように、入場者の数が退場者の数より多いと予測されるときには、演算部３０３は「入場用」表示の割り当てを「退場用」表示よりも増やす決定をする。
【００３３】
図２（ｂ）に示すように、「入場用」の表示がされていたフラッパゲート２０ａ〜２０ｃの表示部２１のうち、フラッパゲート２０ｃの表示部２１に「退場用」の表示がなされている。このように、退場者の数が増加すると予測されるときには、演算部３０３は「退場用」の表示の割り当てを増やす決定をする。
【００３４】
（入退場管理装置による入退場管理処理の例）
次に、図３を用いて、実施形態１の入退場管理装置３００による入退場管理処理の例について説明する。図３は、実施形態１にかかる入退場管理装置３００による入退場管理処理の手順の一例を示すフロー図である。
【００３５】
図３に示すように、入退場管理装置３００のゲート情報取得部３０１は、複数のフラッパゲート２０からの入場者の数をゲート制御装置２２０の入退場者数カウント部２２１から取得する（ステップＳ１０１）。エレベータ情報取得部３０２は、フラッパゲート２０の設置階へと向かうエレベータ１０の利用者の数をエレベータ制御装置１１０の利用者数カウント部１２２から取得する（ステップＳ１０２）。
【００３６】
演算部３０３は、フラッパゲート２０における入退場者の比率を算出する（ステップＳ１０３）。このとき、演算部３０３は、ゲート情報取得部３０１が取得した入場者の数をフラッパゲート２０における入場者数として利用し、エレベータ情報取得部３０２が取得したエレベータ１０の利用者の数をフラッパゲート２０における退場者数として利用する。
【００３７】
演算部３０３は、フラッパゲート２０における入退場者の比率に基づき、フラッパゲート２０の表示部２１における入退場に関する情報の表示の割り当て数を決定する（Ｓ１０４）。また、演算部３０３は、決定した表示部２１の割り当て数にしたがう表示を表示部２１にさせる命令を生成する。ただし、かかる命令は出力部３０４が生成してもよい。
【００３８】
出力部３０４は、上記命令をゲート制御装置２２０へと出力する。
【００３９】
以上により、実施形態１の入退場管理装置３００による入退場管理処理が終了する。その後、上記命令を受信したゲート制御装置２２０の表示制御部２２２は、入退場表示の割り当て数に基づき、各々の表示部２１の表示を変更する。
【００４０】
実施形態１の入退場管理装置３００によれば、フラッパゲート２０における入退場者数の比率に基づき表示部２１における入退場表示の割り当て数を決定する。これにより、フラッパゲート２０における混雑を抑制することができ、また、混雑時であっても退場者がスムースにフラッパゲート２０を通過することができる。
【００４１】
実施形態１の入退場管理装置３００によれば、フラッパゲート２０の設置階へと向かうエレベータ１０の利用者数をフラッパゲート２０から間もなく退場する退場者とみなし、フラッパゲート２０における入退場者数の比率を算出する。予測される退場者数の増加に先駆けてフラッパゲート２０の表示部２１に適正な割り当ての表示をさせることができ、混雑を緩和することができる。
【００４２】
実施形態１の入退場管理装置３００によれば、フラッパゲート２０の入退場者の増減とエレベータ１０の利用者の増減とには相関があることから、ゲート制御装置２２０にエレベータ制御装置１２０を連動させている。これにより、表示部２１における入退場表示の割り当てを適正に行うことができる。
【００４３】
（変形例）
次に、図４を用いて、実施形態１の変形例の入退場管理システムについて説明する。変形例の入退場管理システムは、表示部の表示変更の際に予告表示を行う点が上述の実施形態１とは異なる。
【００４４】
図４は、実施形態１の変形例にかかるエレベータ制御装置によるエレベータの運行処理の手順の一例を示すフロー図にしたがうゲート制御装置の表示処理の手順の一例である。
【００４５】
図４に示すように、変形例のエレベータ制御装置の運行制御部は、行先階登録装置１２を介してフラッパゲートの設置階を行先階とする登録の受け付けを検出する（ステップＳ１１１）。運行制御部は、かかる乗り場呼びに応じて、乗り場呼び階、つまり、行先階登録装置１２による登録があった階へと乗りかごを走行させ、乗り場呼び階への乗りかごの到着を検出する（ステップＳ１１２）。運行制御部は、乗りかごの乗り場呼び階への到着後、乗りかごを登録された行先階であるフラッパゲートの設置階へと走行させ、設置階への乗りかごの到着を検出する（ステップＳ１１３）。運行制御部は、乗りかごのフラッパゲートの設置階への到着後、設置階におけるエレベータ１０の戸開を検出する（ステップＳ１１４）。
【００４６】
変形例の入退場管理装置は、各ステップＳ１１１〜Ｓ１１５のうち、所定の処理が実行されると、それをゲート制御装置へと伝達する。具体的には、フラッパゲートの設置階を行先階とする登録の受け付けが検出されると（ステップＳ１１１）、入退場管理装置のエレベータ情報取得部がそれを取得し、出力部がゲート制御装置へとそれを出力する。また、フラッパゲートの設置階への乗りかごの到着が検出されると（ステップＳ１１３）、エレベータ情報取得部がそれを取得し、出力部がゲート制御装置へとそれを出力する。また、フラッパゲートの設置階におけるエレベータ１０の戸開が検出されると（ステップＳ１１４）、エレベータ情報取得部がそれを取得し、出力部がゲート制御装置へとそれを出力する。
【００４７】
変形例のゲート制御装置は、各ステップＳ１１１，Ｓ１１３，Ｓ１１４の実行が伝達されると、それをトリガに表示部に各種表示をさせる。具体的には、フラッパゲートの設置階を行先階とする登録の受け付けが検出されたタイミングで（ステップＳ１１１）、表示制御部は、「入場用」を表示している表示部のうち「退場用」の表示に割り当てを変更予定の表示部において、「入場用」表示の点滅を開始させる。表示制御部は、フラッパゲートの設置階への乗りかごの到着が検出されるまで（ステップＳ１１３）、表示部による表示の点滅を継続させる。フラッパゲートの設置階への乗りかごの到着が検出されたタイミングで（ステップＳ１１３）、表示制御部は表示部による表示の点滅を停止させる。フラッパゲートの設置階におけるエレベータ１０の戸開が検出されたタイミングで（ステップＳ１１４）、表示制御部は、表示部の表示を「入場用」から「退場用」へと変更させる。
【００４８】
変形例の入退場管理システムによれば、表示部の表示をいきなり変更するのではなく、変更予告を示す点滅表示をする。これにより、入場者がフラッパゲートを通過しようとする直前に表示部の表示が変更されてしまうことを抑制することができる。
【００４９】
［実施形態２］
以下、図面を参照して実施形態２について詳細に説明する。実施形態２の入退場管理装置３１０は、建物の用途等に基づき、所定の時間帯における入退場表示の割り当てに制限を設ける点が上述の実施形態１とは異なる。
【００５０】
（入退場管理システムの構成例）
図５は、実施形態２にかかる入退場管理システム２の構成の一例を示す図である。図５において、実施形態１と同様の構成には同様の符号を付し、その説明を省略する。
【００５１】
図５に示すように、入退場管理システム２は、エレベータ制御装置１２０、ゲート制御装置２２０、及び入退場管理装置３１０を備える。入退場管理装置３１０は、演算部３０３の代わりに演算部３１３を、そして、記憶部３１５を備える。
【００５２】
記憶部３１５は、フラッパゲート２０における時間帯ごとの退場者数予測情報を記憶する。フラッパゲート２０が設置された建物の用途によって、時間帯ごとの退場者数の傾向は異なっている。例えば、建物が学校や事務所等であれば夕方以降の退場者が多く、建物が住宅等であれば朝方に退場者が多く、建物が病院や商業施設等であれば常時、人の出入りがある。退場者数予測情報は、このような建物の用途に基づく時間帯ごとの退場者の予測数の情報を含む。
【００５３】
演算部３１３は、上述の実施形態１の演算部３０３と同様、取得した入場者数およびエレベータ１０の利用者数から、フラッパゲート２０における入退場者の比率を算出する。また、演算部３１３は、上述の実施形態１の演算部３０３と同様、入退場者の比率に基づき、フラッパゲート２０の表示部２１における入退場に関する情報の表示の割り当て数を決定する。
【００５４】
演算部３１３は、さらに、記憶部３１５が記憶する退場者数予測情報を参照し、その時間帯において予測される退場者数を取得する。また、演算部３１３は、その時間帯において予測される退場者数が所定の閾値を超える場合には、予測される退場者数に基づき、表示部２１における入退場に関する情報の表示の割り当て数の算出を再度行って、それ以降、その時間帯が経過して上記予測退場者数が所定の閾値以下となるまで、表示部２１における入退場に関する情報の表示の割り当てを制限する。つまり、表示部２１に対し、入退場に関する情報の表示の更なる割り当てを行わない。
【００５５】
このような入退場表示の割り当ての制限は、例えば、入退場者の比率に基づき決定した割り当て数にしたがう命令を生成しない、あるいは、出力部３０４にその命令を出力させないことで、行うことができる。
【００５６】
（入退場管理装置による入退場管理処理の例）
図６は、実施形態２にかかる入退場管理装置３１０による入退場管理処理の手順の一例を示すフロー図である。図６のステップＳ２０１〜Ｓ２０４は、上述の実施形態１の図３のステップＳ１０１〜Ｓ１０４と同一の処理である。
【００５７】
図６に示すように、入退場者比率に基づき表示部２１における入退場表示の割り当て数を算出した後、演算部３１３は、記憶部３１５が記憶する退場者数予測情報を参照する（ステップＳ２０５）。演算部３１３は、その時間帯の予測退場者数が所定の閾値以下となっているか否かを判定する（ステップＳ２０６）。
【００５８】
予測退場者数が閾値以下であれば（ステップＳ２０６：Ｙｅｓ）、出力部３０４は、演算部３１３が算出した割り当て数に基づき、表示部２１における表示変更命令をゲート制御装置２２０へと出力する（ステップＳ２０８）。
【００５９】
予測退場者数が閾値を超えている場合には（ステップＳ２０６：Ｎｏ）、演算部３１３は、表示部２１にける表示の割り当てを制限する（ステップＳ２０７）。
【００６０】
図７は、実施形態２にかかる入退場管理装置３１０による表示の割り当て制限処理の手順の一例を示すフロー図である。
【００６１】
図７に示すように、予測退場者数が閾値を超えている場合には、演算部３１３は、その時間帯の予測退場者数に基づき表示部２１の入退場表示の割り当て数を決定する（ステップＳ２１１）。
【００６２】
出力部３０４は、予測退場者数に基づき決定された割り当て数にしたがい表示部２１の表示を変更させる命令をゲート制御装置２２０に出力する（ステップＳ２１２）。
【００６３】
その後、演算部３１３は、表示部２１の表示を変更させる命令を制限する（ステップＳ２１３）。すなわち、予測退場者数に基づき決定された割り当てから表示部２１の表示が変更されないよう命令の生成または出力を制限する。
【００６４】
演算部３１３は、現在時刻がその時間帯内であるか否かを判定する（ステップＳ２１４）。現在時刻がその時間帯内である場合には（ステップＳ２１４：Ｙｅｓ）、表示部２１の表示を変更させる命令の制限を継続する。
【００６５】
現在時刻がその時間帯から外れた場合には（ステップＳ２１４：Ｎｏ）、表示部２１における表示の割り当て制限処理を終了する。
【００６６】
以上により、実施形態２の入退場管理装置３１０による入退場管理処理が終了する。
【００６７】
実施形態２の入退場管理装置３１０によれば、予測退場者数が所定の閾値を超える時間帯においては、表示部２１における入退場表示の割り当てを制限する。これにより、退場者の多い混雑時間帯等において、入退場表示が頻繁に変更されることを抑制することができる。
【００６８】
なお、実施形態２の演算部３１３は、記憶部３０５が記憶する退場者予測情報に基づき、表示部２１における入退場表示の割り当て制限を行うこととしたが、予測される入場者数および予測される退場者数の両方の情報を含む入退場者予測情報を記憶部が有していてもよい。その場合、演算部が予測入退場者数の両方の数値に基づき、表示部２１における入退場表示の割り当て制限を行ってもよい。
【００６９】
また、建物の用途等に基づき、演算部が自身で時間帯ごとの退場者数を予測してもよい。あるいは、演算部が時間帯ごとの入退場者数の両方を予測してもよい。
【００７０】
また、上述の実施形態１，２では、乗り場１１に設置された行先階登録装置１２からの情報に基づき、フラッパゲート２０の設置階へと向かう利用者を検出して退場者数としていたが、これに限られない。乗り場にカードリーダを設置して、カードリーダへの登録内容から退場者数を推測してもよい。または、乗り場や乗りかご内に監視カメラ等の撮像装置を設置して、撮像装置からの撮像映像に基づき退場者数を推測してもよい。または、乗りかごに荷重検知装置を設置して、フラッパゲート設置階へと向かう乗りかご内の利用者数から退場者数を推測してもよい。
【００７１】
また、上述の実施形態１，２では、フラッパゲート２０ａ〜２０ｄは建物の出入り口に設置されることとしたが、これに限られない。フラッパゲートは、建物内の所定階におけるエレベータの乗り場の出入り口や、建物内の所定の房室の出入り口等、例えば立ち入りが制限されるようなエリアの出入り口に設けられていてもよい。
【００７２】
また、上述の実施形態１，２では、入退場管理装置３００，３１０によってエレベータ制御装置１２０とゲート制御装置２２０とを連動させているが、これに限られない。エレベータ制御装置とゲート制御装置とは直接、情報のやり取りが可能に構成されていてもよい。この場合、例えば、ゲート制御装置に上記の入退場管理装置３００，３１０の演算部３０３，３１３の機能を持たせることができる。
【００７３】
［その他の実施形態］
上述の実施形態１，２等では、ゲート制御装置にエレベータ制御装置を連動させ、フラッパゲートにおける表示の適正化を図っている。しかし、エレベータ制御装置を他の制御機構等に連動させることも可能である。
【００７４】
例えば、上述の実施形態１，２等では、演算部が間もなく建物内から退場する見込みの者の情報を取得する。このような演算部の機能を、建物等の出入り口のドアロック機構の制御に利用してもよい。このように、ドアロック機構にエレベータ制御装置を連動させることで、演算部により退場者情報が取得された場合には、退場者がスムースに退場できるようドアロックを解除しておくことができる。
【００７５】
また例えば、上述の実施形態１，２等では、各種情報に基づいて演算部が入退場者の比率を算出する。このような演算部の機能を、エスカレータの昇降機構の制御に利用してもよい。このように、エスカレータの昇降機構にエレベータ制御装置を連動させることで、演算部により算出された入退場者の比率に応じて、出入り口のある階へと向かうエスカレータ数を増減させることができる。
【００７６】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１，２…入退場管理システム、１０…エレベータ、１１…乗り場、１２…行先階登録装置、２０…フラッパゲート、２１…表示部、２２ｅｎ，２２ｅｘ…カードリーダ、１２０…エレベータ制御装置、１２１…運行制御部、１２２…利用者数カウント部、２２０…ゲート制御装置、２２１…入退場者数カウント部、２２２…表示制御部、３００，３１０…入退場管理装置、３０１…ゲート情報取得部、３０２…エレベータ情報取得部、３０３，３１３…演算部、３０４…出力部、３１５…記憶部。
【図１】
2020191001.tif 000003
【図２】
2020191001.tif 000004
【図３】
2020191001.tif 000005
【図４】
2020191001.tif 000006
【図５】
2020191001.tif 000007
【図６】
2020191001.tif 000008
【図７】
2020191001.tif 000009
【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
入退場に関する情報を表示する表示部を有し、出入り口に設置される複数のゲートからの入場者の数と、
エレベータの利用者のうち前記複数のゲートから退場することが見込まれる退場者の数とから、
前記複数のゲートにおける入退場者の比率を算出し、前記入退場者の比率に基づき前記複数のゲートの前記表示部における入退場に関する情報の表示の割り当て数を決定する演算部を備え、
前記演算部は、
前記入場者の数として、前記複数のゲートの入場者用カードリーダによるカード情報の読み取り数を用い、
前記退場者の数として、前記エレベータの乗り場に設置された行先階登録装置における前記複数のゲートの設置階を行先階とする登録数を用いる、
入退場管理装置。
【請求項２】
前記表示部における入退場に関する情報の表示の割り当てを入場表示から退場表示へと変更する場合には、
行先階登録装置において前記複数のゲートの設置階を行先階とする登録があった時に前記表示部の表示の点滅が開始され、
前記複数のゲートの設置階に前記エレベータの乗りかごが到着して戸開した時に前記表示部の表示が退場表示へと変更される、
請求項１に記載の入退場管理装置。
【請求項３】
前記出入り口における時間帯ごとの退場者数予測情報を記憶する記憶部を備え、
前記演算部は、
前記表示部における入退場に関する情報の表示の割り当て数を決定するときに前記退場者数予測情報を参照し、予測される退場者数が所定の閾値を超える場合には、前記表示部における入退場に関する情報の表示の割り当てを制限する、
請求項１または請求項２に記載の入退場管理装置。
【請求項４】
入退場に関する情報を表示する表示部を有し、出入り口に設置される複数のゲートからの入場者の数を取得するステップと、
エレベータの利用者のうち前記複数のゲートから退場することが見込まれる退場者の数を取得するステップと、
前記入場者の数および前記退場者の数から前記複数のゲートにおける入退場者の比率を算出し、前記入退場者の比率に基づき前記複数のゲートの前記表示部における入退場に関する情報の表示の割り当て数を決定するステップと、
前記決定にしたがって前記表示部の表示を変更させる命令を出力するステップと、を含み、
前記入場者の数として、前記複数のゲートの入場者用カードリーダによるカード情報の読み取り数を用い、
前記退場者の数として、前記エレベータの乗り場に設置された行先階登録装置における前記複数のゲートの設置階を行先階とする登録数を用いる、
入退場管理方法。
【請求項５】
入退場に関する情報を表示する表示部を有し、出入り口に設置される複数のゲートを制御するゲート制御装置と、
前記複数のゲートの設置階を含む各階を昇降するエレベータを制御するエレベータ制御装置と、
前記複数のゲートにおける入退場を管理する入退場管理装置と、を備え、
前記ゲート制御装置は、
前記複数のゲートからの入場者の数をカウントし、
前記エレベータ制御装置は、
前記エレベータの利用者のうち前記複数のゲートから退場することが見込まれる退場者の数をカウントし、
前記入退場管理装置は、
前記ゲート制御装置から前記入場者の数を取得するゲート情報取得部と、
前記エレベータ制御装置から前記退場者の数を取得するエレベータ情報取得部と、
前記入場者の数および前記退場者の数から前記複数のゲートにおける入退場者の比率を算出し、前記入退場者の比率に基づき前記複数のゲートの前記表示部における入退場に関する情報の表示の割り当て数を決定する演算部と、
前記決定にしたがって前記表示部の表示を変更させる命令を出力する出力部と、を備え、
前記演算部は、
前記入場者の数として、前記複数のゲートの入場者用カードリーダによるカード情報の読み取り数を用い、
前記退場者の数として、前記エレベータの乗り場に設置された行先階登録装置における前記複数のゲートの設置階を行先階とする登録数を用いる、
入退場管理システム。
【手続補正２】
【補正対象書類名】明細書
【補正対象項目名】０００８
【補正方法】変更
【補正の内容】
【０００８】
実施形態の入退場管理装置は、入退場に関する情報を表示する表示部を有し、出入り口に設置される複数のゲートからの入場者の数と、エレベータの利用者のうち前記複数のゲートから退場することが見込まれる退場者の数とから、前記複数のゲートにおける入退場者の比率を算出し、前記入退場者の比率に基づき前記複数のゲートの前記表示部における入退場に関する情報の表示の割り当て数を決定する演算部を備え、前記演算部は、前記入場者の数として、前記複数のゲートの入場者用カードリーダによるカード情報の読み取り数を用い、前記退場者の数として、前記エレベータの乗り場に設置された行先階登録装置における前記複数のゲートの設置階を行先階とする登録数を用いる。